(57)【要約】      （修正有）【課題】枠材に切欠きや凹所などを設けることが難しい場合など扉の改修工事などの際にも支障を生じるおそれがない上げ落し用の係合構造を提供する。【解決手段】軸方向に進退する上げ落しのロッド１１と、ロッド１１の受け２０とを備えてなり、ロッド１１の先端には、ばねを介して付勢するデッドボルト１２を軸方向に移動調節可能に付設し、受け２０は、デッドボルト１２の外径に適合する係合孔２１付きの平板材を枠材の表面に固定する。【選択図】図１
2019203298.tif 000002
【特許請求の範囲】
【請求項１】
軸方向に進退する上げ落しのロッドと、該ロッド用の受けとを備えてなり、前記ロッドの先端には、ばねを介して付勢するデッドボルトを軸方向に移動調節可能に付設し、前記受けは、前記デッドボルトの外径に適合する係合孔付きの平板材を枠材の表面に固定することを特徴とする上げ落し用の係合構造。
【請求項２】
前記係合孔は、前記デッドボルトの外径に適合する短辺側を扉の開閉方向とする長方形に形成することを特徴とする請求項１記載の上げ落し用の係合構造。
【請求項３】
前記受けは、扉の開閉方向に長い調整仮止め用の長孔と、位置決め固定用の丸穴とを形成することを特徴とする請求項１または請求項２記載の上げ落し用の係合構造。
【請求項４】
前記長孔、丸孔は、それぞれの周縁部に皿タッピングビス用の面取りを施すことを特徴とする請求項３記載の上げ落し用の係合構造。
【発明の詳細な説明】
【技術分野】
【０００１】
この発明は、フランス落しや南京落し、グレモン錠などの各種の上げ落し用の係合構造に関する。
【背景技術】
【０００２】
大小の扉を組み合わせる親子扉は、子扉側にフランス落しなどの上げ落しを設けるのが普通である。
【０００３】
フランス落しのロッドは、先端を扉枠側の受けに係合させて子扉を施錠する。この場合の受けは、たとえば軸方向に進退するロッドの先端部が係脱する長孔状の底付きの受けつぼの周縁部に取付用のフランジを設けて構成されている（たとえば特許文献１）。そこで、受けは、枠材に形成する切欠きや凹所などに受けつぼを収納して埋設し、フランジを介して枠材に固定する。
【先行技術文献】
【特許文献】
【０００４】
【特許文献１】特開２０１７−１７９７７９号公報の図７〜図９
【発明の概要】
【発明が解決しようとする課題】
【０００５】
かかる従来技術によるときは、受けは、扉枠の切欠きや凹所などに受けつぼを収納して埋設するから、たとえば扉の改修工事などに際して、枠材に切欠きや凹所などを設けることが難しい場合が少なくなく、工事に支障を来たすことがあるという問題があった。
【０００６】
そこで、この発明の目的は、かかる従来技術の問題に鑑み、ばねを介して付勢するデッドボルト付きのロッドと、平板材の受けとを組み合わせることによって、扉の改修工事などの際にも支障を生じるおそれがない上げ落し用の係合構造を提供することにある。
【課題を解決するための手段】
【０００７】
かかる目的を達成するためのこの発明の構成は、軸方向に進退する上げ落しのロッドと、ロッド用の受けとを備えてなり、ロッドの先端には、ばねを介して付勢するデッドボルトを軸方向に移動調節可能に付設し、受けは、デッドボルトの外径に適合する係合孔付きの平板材を枠材の表面に固定することをその要旨とする。
【０００８】
なお、係合孔は、デッドボルトの外径に適合する短辺側を扉の開閉方向とする長方形に形成することができる。
【０００９】
また、受けは、扉の開閉方向に長い調整仮止め用の長孔と、位置決め固定用の丸穴とを形成してもよく、長孔、丸孔は、それぞれの周縁部に皿タッピングビス用の面取りを施してもよい。
【発明の効果】
【００１０】
かかる発明の構成によるときは、受けは、係合孔付きの平板材を枠材の表面に固定するだけで済み、枠材に切欠きや凹所などを形成する必要がないから、取付が容易である上、扉の改修工事などに支障を生じるおそれがない。なお、ロッドは、ばねを介して先端にデッドボルトを付設しているから、デッドボルトの先端部を受けの係合孔に進入させて係合させ、枠材の表面に突き当てて停止させることにより、扉側を確実に施錠することができる。また、ロッドの軸方向の余分のストロークは、ばねが収縮することにより吸収され、受けつぼがない受けであっても、支障なく組み合わせることができる。
【００１１】
受けに形成する長方形の係合孔は、扉の開閉方向の短辺側をデッドボルトの外径に適合させることにより、施錠中の扉に有害ながた付きを生じることがない。また、係合孔は、扉の開閉方向に直交する長辺方向の取付精度をラフに設定して受けの取付工事を容易にすることができる。
【００１２】
受けは、調整仮止め用の長孔を利用することにより、取付精度を要する扉の開閉方向の位置決めを一層容易にすることができる。すなわち、受けは、長孔を利用して必要な取付精度に調整仮止めした後、位置決め固定用の丸孔を利用して固定すればよい。
【００１３】
調整仮止め用の長孔、位置決め固定用の丸孔は、それぞれの周縁部に面取りを施すことにより、皿タッピングビスを介して容易に精度よく受けを枠材に固定することができる。
【図面の簡単な説明】
【００１４】
【図１】全体構成模式説明図
【図２】要部構成説明図（１）
【図３】要部構成説明図（２）
【発明を実施するための形態】
【００１５】
以下、図面を以って発明の実施の形態を説明する。
【００１６】
上げ落し用の係合構造は、上げ落しのロッド１１と、ロッド１１に対応する扉枠３０側の受け２０とを組み合わせてなる（図１）。ただし、図１（Ａ）、（Ｂ）は、それぞれ扉枠３０の上部の模式縦断面図、同図（Ａ）のＸ−Ｘ線矢視相当模式横断面図である。
【００１７】
扉枠３０は、左右の竪枠３１、３１の上端に上枠３２を連結し、図示しない下枠を組み合わせて構成されている。枠材としての各竪枠３１、上枠３２は、それぞれ板材を折曲げ形成することにより、目隠し用の突条３１ａ、３２ａが内面側中央部に形成されている。また、左右の竪枠３１、３１には、それぞれヒンジ３３ａ、３４ａを介して親扉３３、子扉３４が開閉自在に装着されている。
【００１８】
ロッド１１は、子扉３４の戸先側に搭載する図示しない上げ落しを介して軸方向に進退する（図１（Ａ）の矢印Ｋ1 方向）。ロッド１１の先端には、デッドボルト１２が付設されている（図１、図２）。ただし、図２（Ａ）、（Ｂ）は、それぞれデッドボルト１２を含むロッド１１の先端部の部分縦断面図、分解斜視図である。
【００１９】
デッドボルト１２には、ロッド１１の外径に適合する有底の軸穴１２ａが形成されている。また、デッドボルト１２には、軸穴１２ａに連通する母線方向の長孔１２ｂが形成されている。軸穴１２ａには、デッドボルト１２を軸方向に付勢するばね１３が内装されており、ロッド１１は、長孔１２ｂを通して挿着する横向きのスプリングピン１１ａを介して軸穴１２ａから抜止めされている。そこで、デッドボルト１２は、長孔１２ｂの長さの範囲内で軸方向に移動調節可能であり、移動範囲の全ストロークに亘り、ばね１３により先端方向に付勢されている。
【００２０】
受け２０は、長方形の係合孔２１、各一対の長孔２２、２２、丸孔２３、２３を形成する略長方形の平板材である（図１、図３）。ただし、図３（Ａ）、（Ｂ）は、それぞれ受け２０の平面図、中央縦断面相当模式図である。
【００２１】
係合孔２１の短辺側は、デッドボルト１２の外径に適合している。また、各長孔２２は、係合孔２１の短辺方向に長く形成されている。各長孔２２、各丸孔２３の周縁部には、それぞれ取付用の皿タッピングビス２４用の面取り２２ａ、２３ａが施されている。
【００２２】
受け２０は、子扉３４の戸先側のロッド１１、デッドボルト１２に対向させるようにして、上枠３２の下面側の表面に下向きに固定されている（図１）。
【００２３】
受け２０は、長孔２２、２２、丸孔２３、２３に挿通する皿タッピングビス２４、２４…を介し、係合孔２１の短辺側が親扉３３、子扉３４の開閉方向（図１（Ｂ）の各矢印Ｋ3 、Ｋ4 方向）になるように、また、デッドボルト１２が係合孔２１に正しく進入し得るように、位置調節して取付け固定するものとする。なお、受け２０の各長孔２２は、調整仮止め用であり、各丸孔２３は、位置決め固定用である。すなわち、まず、長孔２２、２２を利用して、皿タッピングビス２４、２４を介して受け２０を正しく位置調整して仮止めし、つづいて、丸孔２３、２３に挿通する別の皿タッピングビス２４、２４を介して受け２０を位置決めして固定した上、すべての皿タッピングビス２４、２４…を締め付ける。なお、各長孔２２は、皿タッピングビス２４に対し、長さ方向に加えて、長さ方向に直交する方向にも若干の調整余裕があるように形成されている。
【００２４】
そこで、子扉３４を閉じ、上げ落しを介してロッド１１を受け２０に向けて進出させると、デッドボルト１２が係合孔２１に進入し、上枠３２の表面に当接して停止するとともに、ばね１３が押し縮められてデッドボルト１２がロッド１１に対して相対的に後退し、デッドボルト１２が係合孔２１に係合して子扉３４を確実に施錠することができる。
【００２５】
以上の説明において、上げ落しは、フランス落し、南京落し（丸落し）、グレモン錠などのいずれであってもよく、子扉３４、親扉３３のいずれに搭載してもよい。また、受け２０は、上枠３２に限らず、ロッド１１の向きに合わせて、竪枠３１や、図示しない下枠を含むいずれの枠材に取り付けてもよい。一方、枠材は、図示の板材からなるものの他、押出形材や、木材などの任意の材料からなるものであってもよい。また、この発明は、親扉３３、子扉３４からなる親子扉の他、他の任意の形式の扉や戸、窓などにも適用可能である。
【産業上の利用可能性】
【００２６】
この発明は、任意の用途に使用される各種の上げ落しのロッド、受けの組合せに対し、広く好適に適用することができる。
【符号の説明】
【００２７】
１１…ロッド
１２…デッドボルト
１３…ばね
２０…受け
２１…係合孔
２２…長孔
２２ａ…面取り
２３…丸孔
２３ａ…面取り
２４…皿タッピングビス
特許出願人      小松ウオール工業株式会社
【図１】
2019203298.tif 000003
【図２】
2019203298.tif 000004
【図３】
2019203298.tif 000005